(57)【要約】【課題】携帯電話等を落とし難く、且つ入れやすい胸ポケットを備えた衣服を提供することを課題とする。【解決手段】胸ポケット２は、二重ポケット構造であり、外ポケット５と補助ポケット６によって構成されている。外ポケット５は、パッチポケットである。外ポケット５の内部の、前見頃７には切り目状の開口２５が設けられている。開口２５の位置は、外ポケット５の内部であって、外ポケット５の底２６を少し離れた位置である。補助ポケット６は切りポケットであり、前見頃７の開口２５が補助ポケット６の入口となる。補助ポケット６の底３８は、外ポケット５の底２６よりも裾３０側に至っている。【選択図】図６
2014201840.tif 000002
【特許請求の範囲】
【請求項１】
外ポケットと、当該外ポケット内に設けられた補助ポケットを有し、上半身に着用する衣服において、
前記外ポケットは、前見頃の外側にポケット布が取り付けられて形成されたものであり、前記外ポケット内の前見頃に開口が設けられ、前記補助ポケットは、前記開口をポケット入口として前記前見頃の裏側に本体部分が設けられたものであり、
前記補助ポケットのポケット入口は、外ポケットの深さ方向の中間部分よりも裾側にあり、
且つ補助ポケットの底は、前記外ポケットの底よりも裾側に至っていることを特徴とする衣服。
【請求項２】
前記開口には、下向きの段部が形成されていることを特徴とする請求項１に記載の衣服。
【発明の詳細な説明】
【技術分野】
【０００１】
本発明は、ワイシャツやドレスシャツ等のシャツ、ジャケット、ブレザー、背広等の上半身に着用する衣服であって、胸ポケットを有する衣服に関するものである。本発明の衣服は、携帯電話や携帯端末その他の携帯用電子機器を携行する際に便利なものである。
【背景技術】
【０００２】
シャツ等の上半身に着用する衣服には、胸ポケットが設けられたものが多い。
胸ポケットは、例えば前見頃にポケット布を縫い付けたものである。即ち、ポケット布の下辺と左右の側辺を前見頃に縫い付け、上辺だけを縫わずにおく。そして上辺の部位をポケット入口とし、前見頃とポケット布によって形成される袋内に物を入れる。
【０００３】
またポケットの一つとして、二重ポケットと称されるポケットがある。二重ポケットは、ポケットの中に、一つ内ポケットが設けられたものである。即ち二重ポケットは、外ポケットの中に内ポケットを設けたものである。
胸ポケットが二重ポケット構造となった衣料の先行技術として次の特許文献がある。
【０００４】
先行技術に開示された二重ポケットは、いずれも内外ポケットの入口が近接した位置に設けられている。即ち先行技術に開示された二重ポケットは、内ポケットの入口が、外ポケットの入口の近くにある。
【０００５】
また先行技術に開示された二重ポケットの多くは、その最も深い位置が近似している。
【先行技術文献】
【特許文献】
【０００６】
【特許文献１】実開昭４８−０４２７０１号公報
【特許文献２】実開昭６２−０２１０１７号公報
【特許文献３】実用新案登録第３１５１１６５号公報
【特許文献４】実用新案登録第３０７２７６８号公報
【特許文献５】特開２００３−１１３５１７号公報
【特許文献６】特開昭６１−０９７４０１号公報
【特許文献７】実開昭５１−００７１０６号公報
【特許文献８】特開２００９−００１９２３号公報
【発明の概要】
【発明が解決しようとする課題】
【０００７】
近年、携帯電話や携帯端末等の携帯用電子機器が広く普及している。携帯用電子機器は、ポケットに入れて携行される場合が多い。またワイシャツ等の胸ポケットを有する衣服を着用している場合には、当該胸ポケットに携帯用電子機器を入れておく場合が多い。
胸ポケットは、その大きさや深さが、携帯電話等の一般的な大きさと合致する。そのため胸ポケットは、携帯電話等を入れやすい。また胸ポケットに携帯電話等を入れておくと、着信音や着信時における振動を感知しやすいという利点がある。
【０００８】
しかしながら、胸ポケットに携帯電話等を入れると、使用者が屈んだ際に、携帯電話を落としてしまうことがある。
特にトイレで用を足した後に、使用者が屈んだ際、胸ポケットから携帯電話等を落としてしまうことがある。
【０００９】
前記した様に、胸ポケットが二重ポケット構造となったシャツ等が公知であるが、従来技術のポケットに携帯電話等を入れても、落下の頻度は変わらない。即ち従来技術の二重ポケットは、いずれも内外ポケットの入口が近接した位置に設けられている。そのため仮に携帯電話等を外ポケットに挿入すると、携帯電話等の全ての部位が、外ポケットに保持される。また仮に携帯電話等を内ポケットに挿入すると、携帯電話等の全ての部位が、内ポケットに保持される。
従って、従来技術の衣料においては、携帯電話等を外ポケットに挿入しても、内ポケットに挿入しても、保持される状態には大差無く、落下の頻度は変わらない。
【００１０】
加えて、従来技術の衣服の内ポケットには、携帯端末等を入れにくいという問題もある。
即ち従来技術の衣服の内ポケットの入り口は、外ポケットと同じ位置にある。そのため内ポケットに携帯電話等を入れる際には、携帯電話等を使用者の胸に対して直交する方向に向け、さらに外ポケットを手で保持する等によって、前見頃と、着用者の胸との間に隙間を設けて内ポケットの袋部分を開く必要がある。そのため従来技術の胸の内ポケットは、携帯端末等を入れにくい。
【００１１】
さらに近年、携帯端末が大型化する傾向にあり、ワイシャツ等の胸ポケットには収まりきれない大きさとなりつつある。即ち旧来の携帯端末は、単なる電話であったが、携帯端末が多機能化し、主たる用途が電話機能から検索機能に変わりつつある。そのため携帯端末の全体形状が大型化している。さらにスマートフォン等の様にタッチパネルを採用する携帯用電子機器が出現している。タッチパネルを使用する機種では、操作性を確保するために、表示面を大きくする必要があり、通常の携帯電話に比べて全体形状が大きくならざるを得ない。
【００１２】
スマートフォン等の多機能型の携帯用電子機器を収納する為には、胸ポケットを大きくする必要がある。しかしながら、ワイシャツやドレスシャツ等の分野においては、お洒落感を醸し出すことが必要であり、機能性と装飾性のバランスが大切である。そのため機能性を追求し、スマートフォン等を収納すべく胸ポケットを大きくすると、見栄えが悪化し、需要者に好まれない。
【００１３】
本発明は、従来技術の上記した問題点に注目し、携帯電話等を落とし難く、且つ入れやすいばかりでなく、見栄えも良い胸ポケットを備えた衣服を提供することを課題とするものである。
【課題を解決するための手段】
【００１４】
上記した課題を解決するための請求項１に記載の発明は、外ポケットと、当該外ポケット内に設けられた補助ポケットを有し、上半身に着用する衣服において、前記外ポケットは、前見頃の外側にポケット布が取り付けられて形成されたものであり、前記外ポケット内の前見頃に開口が設けられ、前記補助ポケットは、前記開口をポケット入口として前記前見頃の裏側に本体部分が設けられたものであり、前記補助ポケットのポケット入口は、外ポケットの深さ方向の中間部分よりも裾側にあり、且つ補助ポケットの底は、前記外ポケットの底よりも裾側に至っていることを特徴とする衣服である。
【００１５】
本発明の衣服は、補助ポケットの入口が、外ポケットの入口に比べて大幅に裾側に寄っている。衣服を着用した状態を基準とすると、補助ポケットの入口が、外ポケットの入口に比べて大幅に下側にある。
また本発明の衣服では、補助ポケットの底は、前記外ポケットの底よりも裾側に至っている。衣服を着用した状態を基準とすると、補助ポケットの底は、外ポケットの底よりも大幅に下側にある。
本発明の衣服では、外ポケットの入口から携帯電話等を挿入し、携帯電話の下部を補助ポケットに入れる。
その結果、携帯電話等は外ポケットと補助ポケットの双方で支持される。
また携帯電話等を落とす際は、体のひねり具合等によって、ポケットの入口が開いたり、携帯電話の側面等とポケットの布との間に空間が生じた場合である。ここで体等をひねった場合、外ポケットと補助ポケットでは、布の動きが相違する。そのため本発明の衣服では、例えポケットの一方が、落下を許容する状態となっても、他方が携帯電話の落下を阻止し、携帯電話等は、結果的に落下を免れる。
また本発明の衣服の外観は、従来の衣服と変わらない。即ち本発明の衣服では、外から見えるのは、外ポケットだけであり、外ポケットは必ずしも大きくする必要はない。そのため本発明の衣服は、見栄えが良い。
【００１６】
請求項２に記載の発明は、前記開口には、下向きの段部が形成されていることを特徴とする請求項１に記載の衣服である。
【００１７】
本発明では、補助ポケットの入り口たる開口に、下向きの段部が形成されている。そのため当該段部が逆止機構となり、携帯電話の落下を阻止する。
【発明の効果】
【００１８】
本発明の衣服は、胸ポケットを備え、当該胸ポケットは携帯電話等を入れやすい。また本発明の衣服は、携帯電話等を落とし難く、安全性が高い。
【図面の簡単な説明】
【００１９】
【図１】本発明の実施形態のシャツの正面図である。
【図２】図１のシャツの胸ポケットの裏面図である。
【図３】図１のシャツの胸ポケットの断面斜視図である。
【図４】図１のシャツの胸ポケットに携帯電話を挿入する際の様子を示す断面図であり、携帯電話の先端を胸ポケットに入れる直前を示す。
【図５】図１のシャツの胸ポケットに携帯電話を挿入する際の様子を示す断面図であり、携帯電話の先端が、補助ポケットの入口近傍に至った状態を示す。
【図６】図１のシャツの胸ポケットに携帯電話を挿入し終えた状態を示す断面図である。
【図７】図１のシャツの胸ポケットに携帯電話を挿入した状態における正面図である。
【図８】図１のシャツの胸ポケットに煙草を挿入した状態における正面図である。
【発明を実施するための形態】
【００２０】
以下さらに本発明の実施形態について説明する。
本実施形態の衣料は、紳士物のシャツ１である。本実施形態のシャツ１は、長袖シャツであり、胸ポケット２が設けられている。
胸ポケット２の構造は、図３の様に二重ポケット構造であり、外ポケット５と補助ポケット６によって構成されている。
外ポケット５は、パッチポケットであり、図１、図３の様に前見頃７にポケット布８が縫い付けられたものである。即ち、ポケット布８は、一枚の布であり、図１、図３の様に、下辺と左右の側辺が縫製ライン１０，１１，１２によって前見頃７に取り付けられている。外ポケット５の上辺１３は、前見頃７に縫製されておらず、外ポケット入口１５を構成している。
ポケット布８の上辺１３は、図３の様に布が内側に折り返されて合わせ面が縫製されている。そのため、ポケット布８は、上辺近傍部２０が他の部位に比べて厚くなっている。またポケット布８の開口近傍は、縫製ライン２１があり、当該部位及びその下の部位が段状を呈している。特に上辺１３の折り返された部位の先端には、下向きの段部２３がある。
【００２１】
外ポケット入口１５には、ホック１８が設けられている。即ちポケット布８の内側に、雄側ホック片１６が設けられ、前見頃７に雌側ホック片１７が設けられている。そして両者を係合することにより、外ポケット入口１５を閉じることができる。
【００２２】
外ポケット５の内部の、前見頃７には切り目状の開口２５が設けられている。開口２５の位置は、外ポケット５の内部であって、外ポケット５の底２６を少し離れた位置である。より具体的には、開口２５の位置は、外ポケット５の内部であって、外ポケット５の底２６から２０ｍｍ乃至４０ｍｍ程度離れた位置にある。即ち開口２５の上辺２８の位置は、外ポケット５の深さの半分以下の高さである。即ち開口２５の位置は、深さ方向の中間部分よりも裾３０側にある。
より望ましくは、外ポケット５の深さをＨとし、開口２５の上辺２８の外ポケット５の底２６からの距離をｈとしたとき、底からの距離ｈは、外ポケット５の深さＨの４０パーセント以下であり、さらに望ましくは、３５パーセント以下である。本実施形態では、底からの距離ｈは、外ポケット５の深さＨの３０パーセントである。
【００２３】
補助ポケット６は切りポケットであり、前記した前見頃７の開口２５が補助ポケット６の入口となる。
補助ポケット６は前記した様に切りポケットであり、図２、図３の様にポケット袋３１が縫い付けられたものである。
【００２４】
ポケット袋３１は、図３の様に２片の布３６，３７によって構成され、両者の縁が縫製ライン３２で縫合されたものである。
ポケット袋３１の開口部３３は、前記した前見頃７の開口２５に合致させて縫合されている。ここで、ポケット袋３１の開口部３３と前見頃７の開口２５とは、両部材の開口端を折り曲げ、さらに両者を重ねた状態で縫合されている。そのため、ポケット袋３１の開口部３３は、他の部位に比べて厚くなっている。特に、開口２５の上辺２８の近傍には、下向きの段部３５が形成されている。
【００２５】
補助ポケット６の底３８は、外ポケット５の底２６よりも裾３０側に至っている。
即ち補助ポケット６の底３８は、外ポケット５の底２６よりも３０ｍｍから７０ｍｍ程度深い位置にある。
より好ましくは、４０ｍｍから６０ｍｍ程度深い位置にある。本実施形態では、補助ポケット６の底３８は、外ポケット５の底２６よりも５０ｍｍ前後深い位置にある。
外ポケット５の深さをＨとし、外ポケット５の底２６と補助ポケット６の底３８の距離をＤとすると、距離Ｄは、外ポケット５の深さＨの２５パーセントから６０パーセント程度である。
より望ましくは、距離Ｄは、外ポケット５の深さＨの３０パーセントから５０パーセント程度である。最も推奨される距離Ｄは、外ポケット５の深さＨの３５パーセントから４０パーセント程度である。
【００２６】
次に本実施形態のシャツ１の機能について説明する。
本実施形態のシャツ１は、前記した様に胸ポケット２を有し、当該胸ポケット２に、図６、図７の様に携帯電話５０等を入れることができる。
携帯電話５０は、先端側を外ポケット入口１５から挿入して行き、さらに先端を外ポケット５内の開口（内ポケット６の入口）から補助ポケット６内に挿入する。
その結果、図６、図７の様に、携帯電話５０の上側が外ポケット５内にあり、下部が補助ポケット６に保持される。
【００２７】
ここで、本実施携帯のシャツ１では、携帯電話５０の先端部が外ポケット入口１５から挿入される際に、携帯電話５０を垂直姿勢にした状態で挿入することができる。即ち外ポケット５は、パッチポケットであって、外ポケット入口１５は、上部側に向かって開口している。そのため図４に示すように、携帯電話５０を垂直姿勢にした状態のままで、無理なく外ポケット５に挿入することができる。
【００２８】
続いて携帯電話５０の先端部が、外ポケット５内の開口（内ポケット６の入口）に至る。ここで、本実施形態のシャツ１では、外ポケット５内の開口（内ポケット６の入口）は、外ポケット５の底２６に近い位置であり、携帯電話５０の相当の部位が既に胸ポケット２内に入り込んでいる。そのため携帯電話５０は、外ポケット５を構成する前見頃７と、ポケット布８に挟まれ、縦姿勢を維持しようとする。
そのため、図５に示す様に、胸ポケット２を使用者の胸から僅かに浮かすだけで、先端部分を補助ポケット６に挿入することができる。
【００２９】
また本実施形態のシャツ１は、使用者が屈んでも携帯電話５０を落としにくい。即ち、本実施形態のシャツ１では、携帯電話５０の一部が外ポケット５で保持され、携帯電話５０の他の部分が補助ポケット６によって保持されている。
そのため使用者が屈んだ際に、二つのポケット５，６は、異なる動きをし、少なくともいずれか一方が、携帯電話５０の落下を阻止する。
【００３０】
また本実施形態のシャツ１では、胸ポケット２の内部の２箇所に段部２３，３５がある。即ち外ポケット５の上辺１３に折り返された部位があり、当該部位が、下向きの段部２３となっている。
さらに補助ポケット６の入口たる開口２５の上辺２８の近傍にも、下向きの段部３５がある。
ここで下向きの段部２３，３５は携帯電話５０の脱落を阻止する方向に向いている。そのため、本実施形態のシャツ１では、段部２３，３５の作用によっても脱落が阻止される。
また本実施形態のシャツ１では、外から見えるのは外ポケット５だけであり、内ポケット６は前見頃７に隠れて見えない。また本実施形態のシャツ１では、外ポケット５を過度に大きくする必要はない。そのため本実施形態のシャツ１は、見栄えがよい。
【００３１】
もちろん本実施形態のシャツ１の胸ポケット２に入れるものは限定されず、手帳や煙草を入れることができる。例えば煙草５１を入れる場合は、図８の様に外ポケット５に挿入されることとなる。
【符号の説明】
【００３２】
１  シャツ
２  胸ポケット
５  外ポケット
６  補助ポケット
７  前見頃
８  ポケット布
１５  外ポケット入口
２３  段部
２５  開口
２６  底
３５  段部
３８  底
５０  携帯電話
【図１】
2014201840.tif 000003
【図２】
2014201840.tif 000004
【図３】
2014201840.tif 000005
【図４】
2014201840.tif 000006
【図５】
2014201840.tif 000007
【図６】
2014201840.tif 000008
【図７】
2014201840.tif 000009
【図８】
2014201840.tif 000010